(57)【要約】【課題】  比較的簡単な工程を用いて、充分なバンド転移を誘導できる液晶表示装置を提供する。【解決手段】  本発明は、ＯＣＢモード液晶層を備えた液晶表示装置を提供する。前記液晶表示装置は、下部基板上に位置する画素電極を備える。前記画素電極上に、所定方向に配向処理された下部配向膜が位置する。前記下部基板の上部に、前記下部基板に対向する対向面を有する上部基板が位置する。前記対向面上に対向電極が位置する。前記対向電極上に、前記下部配向膜と同じ方向に配向処理された上部配向膜が位置する。前記上部基板と前記上部配向膜との間に、前記配向処理方向を横切る方向に配置される上部突起ライン（upper protrusion line）が位置する。前記下部配向膜と前記上部配向膜との間にＯＣＢモード液晶層が位置する。【選択図】  図１
2006154736.tif 000002
【特許請求の範囲】
【請求項１】
下部基板上に位置する画素電極と、
前記画素電極上に位置し、所定方向に配向処理された下部配向膜と、
前記下部基板の上部に位置し、前記下部基板に対向する対向面を有する上部基板と、
前記対向面上に位置する対向電極と、
前記対向電極上に位置し、前記下部配向膜と同じ方向に配向処理された上部配向膜と、
前記上部基板と前記上部配向膜との間に位置し、前記配向処理方向を横切る方向に配置される上部突起ラインと、
前記下部配向膜と前記上部配向膜との間に位置するＯＣＢモード液晶層と、を備えることを特徴とする液晶表示装置。
【請求項２】
前記配向処理方向と前記上部突起ラインの配置方向とは、垂直であることを特徴とする請求項１に記載の液晶表示装置。
【請求項３】
前記下部基板は、前記画素電極が位置する開口領域と、該開口領域を取り囲む非開口領域とを含み、
前記上部突起ラインは、前記画素電極の左右に位置する非開口領域に対応する領域に上下方向に配置されることを特徴とする請求項１に記載の液晶表示装置。
【請求項４】
前記配向処理方向は、前記画素電極の左右を横切る方向であることを特徴とする請求項３に記載の液晶表示装置。
【請求項５】
前記下部基板は、前記画素電極が位置する開口領域と、該開口領域を取り囲む非開口領域とを含み、
前記上部突起ラインは、前記画素電極の上下に位置する非開口領域に対応する領域に左右方向に配置されることを特徴とする請求項１に記載の液晶表示装置。
【請求項６】
前記配向処理方向は、前記画素電極の上下を横切る方向であることを特徴とする請求項５に記載の液晶表示装置。
【請求項７】
前記下部基板は、前記画素電極が位置する開口領域と、該開口領域を取り囲む非開口領域とを含み、
前記対向電極と前記上部基板との間に位置し、且つ前記非開口領域に対応して位置する遮光膜パターンをさらに含むことを特徴とする請求項１に記載の液晶表示装置。
【請求項８】
前記遮光膜パターンと前記上部突起ラインとが重畳する領域において前記上部突起ラインの幅は、前記遮光膜パターンの幅と同じか小さいことを特徴とする請求項７に記載の液晶表示装置。
【請求項９】
前記上部突起ラインは、互いに離隔したサブ突起ラインを含むことを特徴とする請求項１に記載の液晶表示装置。
【請求項１０】
前記上部突起ラインは、前記上部基板と前記対向電極との間に位置することを特徴とする請求項１に記載の液晶表示装置。
【請求項１１】
前記上部突起ラインの少なくとも一側面は、傾斜面であることを特徴とする請求項１に記載の液晶表示装置。
【請求項１２】
前記傾斜面と前記上部基板とがなす角は、１０乃至８０度であることを特徴とする請求項１１に記載の液晶表示装置。
【請求項１３】
前記傾斜面と前記上部基板とがなす角は、１０乃至６０度であることを特徴とする請求項１２に記載の液晶表示装置。
【請求項１４】
前記下部基板と前記下部配向膜との間に位置し、且つ前記上部突起ラインに対応して位置する下部突起ラインをさらに備えることを特徴とする請求項１に記載の液晶表示装置。
【請求項１５】
前記下部突起ラインの少なくとも一側面は、傾斜面であることを特徴とする請求項１４に記載の液晶表示装置。
【請求項１６】
前記傾斜面と前記下部基板とがなす角は、１０乃至８０度であることを特徴とする請求項１５に記載の液晶表示装置。
【請求項１７】
前記傾斜面と前記下部基板とがなす角は、１０乃至６０度であることを特徴とする請求項１６に記載の液晶表示装置。
【請求項１８】
前記対向電極と前記上部基板との間に位置し、且つ前記画素電極に対応する領域に位置するカラーフィルタをさらに備えることを特徴とする請求項１に記載の液晶表示装置。
【請求項１９】
前記下部基板の下部に位置する赤色（Ｒ）、緑色（Ｇ）及び青色（Ｂ）のバックライトをさらに備えることを特徴とする請求項１に記載の液晶表示装置。
【請求項２０】
前記ＯＣＢモード液晶層は、誘電率異方性が正のネマチック液晶を含むことを特徴とする請求項１に記載の液晶表示装置。
【請求項２１】
下部基板上に位置する画素電極と、
前記画素電極上に位置し、所定方向に配向処理された下部配向膜と、
前記下部基板の上部に位置し、前記下部基板に対向する対向面を有する上部基板と、
前記対向面上に位置する対向電極と、
前記対向電極上に位置し、前記下部配向膜と同じ方向に配向処理された上部配向膜と、
前記下部基板と前記下部配向膜との間に位置し、前記配向処理方向を横切る方向に配置される下部突起ラインと、
前記下部配向膜と前記上部配向膜との間に位置するＯＣＢモード液晶層と、を備えることを特徴とする液晶表示装置。
【請求項２２】
前記配向処理方向と前記下部突起ラインの配置方向との角は、垂直であることを特徴とする請求項２１に記載の液晶表示装置。
【請求項２３】
前記下部基板は、前記画素電極が位置する開口領域と、該開口領域を取り囲む非開口領域とを含み、
前記下部突起ラインは、前記画素電極の左右に位置する非開口領域に上下方向に配置されることを特徴とする請求項２１に記載の液晶表示装置。
【請求項２４】
前記配向処理方向は、前記画素電極の左右を横切る方向であることを特徴とする請求項２３に記載の液晶表示装置。
【請求項２５】
前記下部基板は、前記画素電極が位置する開口領域と、該開口領域を取り囲む非開口領域とを含み、
前記下部突起ラインは、前記画素電極の上下に位置する非開口領域に左右方向に配置されることを特徴とする請求項２１に記載の液晶表示装置。
【請求項２６】
前記配向処理方向は、前記画素電極の上下を横切る方向であることを特徴とする請求項２５に記載の液晶表示装置。
【請求項２７】
前記下部基板は、前記画素電極が位置する開口領域と、該開口領域を取り囲む非開口領域とを含み、
前記対向電極と前記上部基板との間に位置し、且つ前記非開口領域に対応して位置する遮光膜パターンをさらに含み、
前記遮光膜パターンと前記下部突起ラインとが重畳する領域において前記下部突起ラインの幅は、前記遮光膜パターンの幅と同じか小さいことを特徴とする請求項２１に記載の液晶表示装置。
【請求項２８】
前記下部突起ラインは、互いに離隔したサブ突起ラインを含むことを特徴とする請求項２１に記載の液晶表示装置。
【請求項２９】
前記下部突起ラインの少なくとも一側面は、傾斜面であることを特徴とする請求項２１に記載の液晶表示装置。
【請求項３０】
前記傾斜面と前記下部基板とがなす角は、１０乃至８０度であることを特徴とする請求項２９に記載の液晶表示装置。
【請求項３１】
前記傾斜面と前記下部基板とがなす角は、１０乃至６０度であることを特徴とする請求項３０に記載の液晶表示装置。
【請求項３２】
前記対向電極と前記上部基板との間に位置し、且つ前記画素電極に対応する領域に位置するカラーフィルタをさらに備えることを特徴とする請求項２１に記載の液晶表示装置。
【請求項３３】
前記下部基板の下部に位置する赤色（Ｒ）、緑色（Ｇ）及び青色（Ｂ）のバックライトをさらに備えることを特徴とする 請求項２１に記載の液晶表示装置。
【請求項３４】
前記ＯＣＢモード液晶層は、誘電率異方性が正のネマチック液晶を含むことを特徴とする請求項２１に記載の液晶表示装置。
【発明の詳細な説明】
【技術分野】
【０００１】
本発明は、液晶表示装置に関し、特にＯＣＢモード液晶層を備えた液晶表示装置に関する。
【背景技術】
【０００２】
一般的に、液晶表示装置は、 画素電極と対向電極との間に液晶を注入し、前記画素電極と前記対向電極との間に電界を形成することで、液晶の配列を変更させる。前記液晶の変更された配列は、光の透過率を調節し、調節された光の透過率は画像を形成する。
【０００３】
このような液晶表示装置の一例として、応答速度が速く、且つ視野角特性が優れたＯＣＢ（Optically Compensated Bend）モードの液晶表示装置が挙げられる。このようなＯＣＢモード液晶表示装置は、画素電極、下部配向膜、対向電極、上部配向膜、及び誘電率異方性（dielectric constant anisotropy;Δε）が正のネマチック液晶を有する液晶層を備える。前記下部配向膜及び前記上部配向膜は、同じ方向にラビング（rubbing）され、前記液晶は、スプレイ（splay）配列を有する。
【０００４】
このようなＯＣＢモード液晶表示装置に画像を形成するためには、まず、前記画素電極と前記対向電極との間に高電界を形成する。前記高電界は、前記液晶層の中央に位置した液晶の傾斜角を９０゜に作り、液晶がベンド（bend）配列されるようにする。これをベンド転移（bend transition）と言う。次いで、前記画素電極と前記対向電極との間に所定の電圧を印加することで、前記配向膜に隣接した液晶と前記中央に位置した液晶を除いて残りの液晶の傾斜角変化を誘導する。これにより、前記液晶層を通る光の偏光を変調して、画像を形成する。
【０００５】
かかる液晶表示装置が多数の画素を備える場合、鮮明な画質を具現するためには、前記多数の画素に位置する液晶のほとんど大部分は、ベンド転移されなければならない。しかしながら、このためには、相当な時間を必要とし、しかも、時々ベンド転移されていない画素が存在することがある。これを解決するために、前記ベンド転移のために印加する電圧を増加させているが、これは消費電力の増加をもたらすことができる。
【０００６】
上述のような問題を解決するために、特許文献１の大韓民国特許公開第２００１−００６０５２２号には、突起を備えた液晶表示装置が開示されている。前記液晶表示装置は、互いに対向する上部基板及び下部基板を備え、各基板の内側面上に第１及び第２電極が各々形成されている。前記電極各々の上部には、無秩序に突起が互いに対応する位置に形成されており、それぞれの電極の上部には、突起を覆う配向膜が形成されている。前記２つの基板の配向膜間には、誘電率異方性が正のネマチック液晶物質層が注入されている。前記液晶分子は、前記配向膜の配向規制力により突起の傾斜角に沿って基板面に対して所定の角を持って配列されるので、安定したベンド（bend）配列を有することができる。その結果、初期転移電圧を低減することができる。
【０００７】
また、特許文献２の特開２００２−２９６５９６号公報には、転移の伝搬を促進する構造体を備えた液晶表示装置が開示されている。前記液晶表示装置は、アレイ基板と、対向基板と、前記アレイ基板と前記対向基板との間に位置する液晶層とを備える。前記アレイ基板または前記対向基板に、伝搬を促進する構造体が位置する。前記伝搬を促進する構造体は、伝搬用の電極線であってもよく、又は、突起部であってもよい。
【０００８】
また、特許文献３の大韓民国特許公開第２００２−００９７０２５号には、転移核領域を備えた液晶表示装置が開示されている。前記液晶表示装置は、第１及び第２基板と、前記第１基板上に形成された複数の画素電極と、前記第２基板上に形成された共通電極とを備える。前記第１基板には、断面が鋸歯状の連続的な傾斜面を有する第１転移核領域が形成され、前記第２基板には、断面が鋸歯状の連続的な傾斜面を有する第２転移核領域が形成される。
【０００９】
しかしながら、上述したような特許文献は、ラビング方向による突起部の位置を限定していないので、充分なベンド転移を具現することは難しい。また、前記特許文献３の場合、小さい領域中に前記鋸歯状を連続的に形成することは、工程上の難点がある。
【特許文献１】大韓民国特許公開第２００１−００６０５２２号
【特許文献２】特開２００２−２９６５９６号公報
【特許文献３】大韓民国特許公開第２００２−００９７０２５号
【発明の開示】
【発明が解決しようとする課題】
【００１０】
本発明は、前記従来技術の問題点を解決するためになされたもので、比較的簡単な工程を用いて、充分なバンド転移を誘導できる液晶表示装置を提供することにある。
【課題を解決するための手段】
【００１１】
前記目的を達成するために、本発明の一態様に係る液晶表示装置は、
下部基板上に位置する画素電極と、
前記画素電極上に位置し、所定方向に配向処理された下部配向膜と、
前記下部基板の上部に位置し、前記下部基板に対向する対向面を有する上部基板と、
前記対向面上に位置する対向電極と、
前記対向電極上に位置し、前記下部配向膜と同じ方向に配向処理された上部配向膜と、
前記上部基板と前記上部配向膜との間に位置し、前記配向処理方向を横切る方向に配置される上部突起ライン（upper protrusion line）と、
前記下部配向膜と前記上部配向膜との間に位置するＯＣＢモード液晶層と、を備えることを特徴とする。
【発明の効果】
【００１２】
本発明によれば、ＯＣＢモード液晶表示装置において、配向膜の配向方向を横切る方向に突起ラインを配置することによって、前記突起ラインに隣接した液晶のプレティルト角を増加させることができるので、バンド転移を容易に誘導することができ、バンド転移時間を短縮することができる。さらに、上部突起上に対向電極を形成することによって、充分なバンド転移を誘導し、これにより、ベンド転移時間を一層短縮することができる。また、前記突起ラインの幅を遮光膜パターンの幅と同じか小さく形成することによって、表示品質の劣化を防止することができる。
【発明を実施するための最良の形態】
【００１３】
以下、添付の図面を参照して、本発明の好適な実施例を詳細に説明する。下記の実施例は、当業者に本発明の思想が十分に伝達され得るようにするために一例として提示されるものである。したがって、本発明は、下記の実施例に限らず、様々な変形が可能である。なお、図面において、層が他の層上に又は基板上に位置すると記述されている場合、他の層上に又は基板上に直接に形成されることができ、又はそれらの間に第３の層が介在されることもできる。本明細書において、同一の参照番号は、同一の構成要素を示す。
【００１４】
図１は、本発明の一実施例に係る液晶表示装置を示すレイアウト図であり、図５は、本発明の一実施例による液晶表示装置及びその製造方法を説明するための図であって、図１の切断線Ｉ−Ｉ’に沿う断面図である。
【００１５】
図１及び図５を参照すれば、開口領域（aperture region）Ａと、該開口領域Ａを取り囲む非開口領域Ｂとを含む下部基板１００が提供される。前記開口領域Ａは、画像を表示できる領域であって、画素電極１５０により画定されることができる。
【００１６】
前記非開口領域Ｂ上に、一方向に複数の走査線１０６と、前記各走査線１０６に交差する複数のデータ線１２７とが位置することができる。また、前記非開口領域Ｂ上に、前記走査線１０６の制御によりスイッチングされ、前記データ線１２７に印加された電圧を前記画素電極１５０に印加する薄膜トランジスタが位置する。前記薄膜トランジスタは、前記走査線１０６から突出したゲート電極１０５と、前記ゲート電極１０５上に位置し、前記ゲート電極１０５に重畳する半導体層１２０と、前記データ線１２７から突出し、前記半導体層１２０の一方の端部に接続されるソース電極１２６と、前記半導体層１２０の他方の端部に接続されるドレイン電極１２５とを備える。
【００１７】
前記信号線１０６、１２７及び前記薄膜トランジスタ上に、前記信号線１０６、１２７及び前記薄膜トランジスタを覆う絶縁膜１４０が位置する。前記画素電極１５０は、前記開口領域Ａの前記絶縁膜１４０上に位置し、前記ドレイン電極１２５は、前記絶縁膜１４０に設けられたビアホール１４０ａにより前記画素電極１５０に接続される。前記画素電極１５０は、ＩＴＯ（Indium Tin Oxide）膜またはＩＺＯ（Indium Zinc Oxide）膜であってもよい。
【００１８】
前記非開口領域Ｂにおいて少なくとも一部の絶縁膜１４０上に、前記画素電極１５０から所定間隔で離隔した下部突起ライン（lower protrusion line）１４５が位置する。前記下部突起ライン１４５は、有機膜または無機膜で形成することができる。前記突起ライン１４５を形成する有機膜は、アクリル系高分子膜またはＢＣＢ（Benzo Cyclo Butene）膜であってもよい。また、無機膜は、シリコン酸化膜またはシリコン窒化膜であってもよい。前記下部突起ライン１４５の少なくとも一側面は、傾斜面であることが好ましい。前記下部突起ライン１４５の一方の側面及び他方の側面がいずれも傾斜面である場合、前記傾斜面は、互いに対称または非対称であってもよい。例えば、前記下部突起ライン１４５の断面の形態は、図９に示すように、対称傾斜面を持つ三角形（ａ）、非対称傾斜面を持つ三角形（ｂ）、対称傾斜面を持つ半円（ｃ）または非対称傾斜面を持つ半円（ｄ）であってもよい。前記傾斜面の傾斜角、すなわち前記傾斜面と前記下部基板１００とがなす角θ１は、１０乃至８０度であることが好ましい。前記傾斜角θ１が１０度未満なら、後述する下部配向膜の配向処理により同様の効果が得られるので、前記下部突起ライン１４５による効用性が低減し、前記傾斜角θ１が８０度を超過する場合は、前記傾斜角θ１によるベンド転移効率が低減する。より好ましくは、ベンド配列が一層安定となるように、前記傾斜角θ１は、１０乃至６０度である。
【００１９】
前記少なくとも一側面が傾斜面である突起ライン１４５を形成することは、プレス法、斜方蒸着法、フォトリソグラフィ法またはレーザ加工法を用いて行うことができる。詳細には、前記プレス法を用いて前記突起ライン１４５を形成することは、前記絶縁膜１４０上に有機膜を積層し、溝を有するモールド（mold）を前記有機膜上に位置させ、熱と圧力を加えた後、冷却させ、前記モールドを基板から分離させることによって行うことができる。また、前記斜方蒸着法を用いて前記突起ライン１４５を形成することは、突起材料を基板に対して所定角度で傾斜した方向に蒸着することで行うことができる。また、前記フォトリソグラフィ法を用いて前記突起ライン１４５を形成することは、突起材料を基板上に積層した後、前記突起材料上にフォトレジストを積層し、光透過率を連続して変化させるパターンを備えたフォトマスクを用いて前記フォトレジストを露光することによって、フォトレジストパターンを形成し、前記フォトレジストパターンを使用して前記突起材料をエッチングすることで行うことができる。また、前記レーザ加工法を用いて前記突起ライン１４５を形成することは、突起材料を基板上に積層した後、前記突起材料上に所定角度で傾斜した方向にレーザを照射することで行うことができる。
【００２０】
前記下部突起ライン１４５及び前記画素電極１５０上に、前記下部突起ライン１４５及び前記画素電極１５０を覆う下部配向膜１７０が位置する。前記下部配向膜１７０は、無機膜または有機膜であってもよい。好ましくは、前記下部配向膜１７０は、ポリイミド系有機膜である。前記下部配向膜１７０は、所定方向Ｒｂに水平配向処理（parallel alignment）された配向膜であってもよく、又は、所定の傾斜角を有するように傾斜配向処理（tilt alignment）された配向膜であってもよい。前記配向処理は、ラビング法または光配向法を用いて行うことができる。一般的に、傾斜配向処理時のプレティルト角は、１０度以下にすぎない。
【００２１】
この際、前記下部突起ライン１４５の配置方向Ｐｄは、前記下部配向膜１７０の配向処理方向Ｒｂを横切る。これにより、前記下部配向膜１７０に隣接して位置する液晶の長軸方向を、前記傾斜面に沿って上部方向に位置させることができるので、前記下部配向膜１７０に隣接して位置する液晶のプレティルト角を増加させることができる。好ましくは、前記配向処理方向Ｒｂと前記下部突起ライン１４５の配置方向Ｐｄとは、実質的に垂直である。
【００２２】
例えば、図１に示すように、前記下部突起ライン１４５は、前記画素電極１５０の左右に位置する非開口領域上に上下方向に配置されることができる。すなわち前記下部突起ライン１４５は、前記データ線１２７に沿って延設されることができる。この場合、前記配向処理方向Ｒｂは、前記画素電極１５０の左右を横切る方向であってもよい。さらに、図２に示すように、前記下部突起ラインは、互いに離隔したサブ突起ライン１４５ａを含むことができる。これとは異なって、図３に示すように、前記下部突起ライン１４５’は、前記画素電極１５０の上下に位置する非開口領域上に左右方向に配置されることができる。すなわち前記下部突起ライン１４５’は、前記走査線１０６に沿って延設されることができる。この場合、前記配向処理方向Ｒｂは、前記画素電極１５０の上下を横切る方向であってもよい。さらに、図４に示すように、前記下部突起ラインは、互いに離隔したサブ突起ライン１４５ｂを含むことができる。
【００２３】
前記下部基板１００の上部には、前記下部基板１００に対向する対向面を有する上部基板２００が提供される。前記上部基板２００上に、前記非開口領域Ｂに対応して遮光膜パターン２１０が位置することができる。すなわち前記遮光膜パターン２１０は、前記薄膜トランジスタ及び前記信号線１０６、１２７が位置する領域に対応する領域を全て遮蔽させ、前記開口領域Ａに対応する領域を露出させる。したがって、前記遮光膜パターン２１０は、前記下部突起ライン１４５に重畳して位置する。この場合、前記下部突起ライン１４５の幅Ｗｌｏｗは、前記遮光膜パターン２１０の幅ＷＢＭと同じか小さいことが好ましい。より好ましくは、前記下部突起ライン１４５の幅Ｗｌｏｗは、前記遮光膜パターン２１０の幅ＷＢＭより小さい。
【００２４】
前記遮光膜パターン２１０により露出した部分、すなわち前記画素電極１５０に対応する領域上にカラーフィルタ２１５が位置することができる。前記カラーフィルタ２１５は、各単位画素毎に赤色、緑色及び青色のカラーフィルタに区分して位置することができる。
【００２５】
前記遮光膜パターン２１０上に上部突起ライン２４５が位置する。前記上部突起ライン２４５は、少なくとも一側面が傾斜面であることが好ましい。前記上部突起ライン２４５の一方の側面及び他方の側面がいずれも傾斜面である場合、前記傾斜面は、互いに対称または非対称であってもよい。例えば、前記上部突起ライン１４５の断面の形態は、図９に示すように、対称傾斜面を持つ三角形（ａ）、非対称傾斜面を持つ三角形（ｂ）、対称傾斜面を持つ半円（ｃ）または非対称傾斜面を持つ半円（ｄ）であってもよい。前記傾斜面の傾斜角、すなわち前記傾斜面と前記上部基板２００とがなす角θ2は、１０乃至８０度であることが好ましい。前記傾斜角θ2が１０度未満なら、後述する上部配向膜の配向処理により同様の効果が得られるので、前記上部突起ライン２４５による効用性が低減し、前記傾斜角θ2が８０度を超過する場合は、前記傾斜角θ2によるベンド転移効率が低減する。より好ましくは、ベンド配列が一層安定となるように、前記傾斜角θ2は、１０乃至６０度である。
【００２６】
前記上部突起ライン２４５を形成する物質及び形成方法は、前記下部突起ライン１４５を形成する物質及び形成方法と類似しているので、それについての説明は省略する。
【００２７】
前記上部突起ライン２４５及び前記カラーフィルタ２１５上に、前記上部突起ライン２４５及び前記カラーフィルタ２１５を覆う対向電極２５０が位置する。言い換えれば、前記上部突起ライン２４５を含む前記上部基板２００の対向面上に前記対向電極２５０が位置する。前記対向電極２５０は、ＩＴＯ（Indium Tin Oxide）膜またはＩＺＯ（Indium Zinc Oxide）膜であってもよい。
【００２８】
前記対向電極２５０上に上部配向膜２７０が位置することができる。前記上部配向膜２７０は、無機膜または有機膜であってもよい。好ましくは、前記上部配向膜２７０は、ポリイミド系有機膜である。また、前記上部配向膜２７０は、前記下部配向膜１７０の配向処理方向Ｒｂと同じ方向Ｒｔに水平配向処理（parallel alignment）された配向膜であってもよく、または所定の傾斜角を有するように傾斜配向処理（tilt alignment）された配向膜であってもよい。前記配向処理は、ラビング法または光配向法を用いて行うことができる。
【００２９】
この際、前記上部突起ライン２４５は、前記下部突起ライン１４５に対応して位置する。詳細には、前記上部突起ライン２４５の配置方向Ｐｄは、前記上部配向膜２７０の配向処理方向Ｒｔを横切る。これにより、前記上部配向膜２７０に隣接して位置する液晶の長軸方向を、前記傾斜面に沿って上部方向に位置させることができるので、前記上部配向膜２７０に隣接して位置する液晶のプレティルト角を増加させることができる。好ましくは、前記配向処理方向Ｒｔと前記上部突起ライン２４５の配置方向Ｐｄとは、実質的に垂直である。
【００３０】
例えば、図１に示されるように、前記上部突起ライン２４５は、前記画素電極１５０の左右に位置する非開口領域上に上下方向に配置されることができる。すなわち、前記上部突起ライン２４５は、前記データ線１０７に沿って延設されることができる。この場合、前記配向処理方向Ｒｔは、前記画素電極１５０の左右を横切る方向であってもよい。さらに、図２に示されるように、前記上部突起ラインは、互いに離隔したサブ突起ライン２４５ａを含むことができる。これとは異なって、図３に示されたように、前記上部突起ライン２４５’は、前記画素電極１５０の上下に位置する非開口領域上に左右方向に配置されることができる。すなわち、前記上部突起ライン２４５’は、前記走査線１０６に沿って延設されることができる。この場合、前記配向処理方向Ｒｔは、前記画素電極１５０の上下を横切る方向であってもよい。さらに、図４に示されるように、前記上部突起ラインは、互いに離隔したサブ突起ライン２４５ｂを含むことができる。
【００３１】
また、上部突起ライン２４５は、前記遮光膜パターン２１０に重畳して位置する。この際、前記遮光膜パターン２１０と前記上部突起ライン２４５とが重畳する領域において、前記上部突起ライン２４５の幅ＷＵＰは、前記遮光膜パターン２１０の幅ＷＢＭと同じか小さいことが好ましい。
【００３２】
一方、図７に示すように、前記下部突起ライン１４５を省略してもよい。又は、図８に示すように、前記上部突起ライン２４５を省略してもよい。
【００３３】
続いて、図１及び図５を参照すれば、前記下部配向膜１７０と前記上部配向膜２７０との間、すなわち前記画素電極１５０と前記対向電極２５０との間にＯＣＢモード液晶層３００が位置する。前記ＯＣＢモード液晶層３００は、誘電率異方性が正のネマチック液晶を含むことができる。前記液晶層３００内の液晶は、前記突起ライン１４５、２４５から離隔して位置する液晶３００ｂと、前記突起ライン１４５、２４５に隣接して位置する液晶３００ａ、３００ｃとに区分されることができる。
【００３４】
前記突起ライン１４５、２４５から離隔して位置する液晶３００ｂのうち、前記下部配向膜１７０及び前記上部配向膜２７０に隣接した液晶は、前記配向処理された配向膜の配向規制力（anchoring force）により前記配向処理方向Ｒｂ、Ｒｔに水平または１０度以下のプレティルト角（pretilt angle）を持って配列される。しかしながら、前記突起ライン１４５、２４５に隣接して位置する液晶３００ａ、３００ｃのうち、前記下部突起ライン１４５上の下部配向膜１７０に隣接した液晶は、前記下部突起ライン１４５を覆う下部配向膜１７０の配向規制力により他の部分に比べてプレティルト角が大きくなり、前記上部突起ライン２４５上の上部配向膜２７０に隣接した液晶は、前記上部突起ライン２４５を覆う上部配向膜２７０の配向規制力により他の部分に比べてプレティルト角が大きくなる。これは、前記上部突起ライン２４５及び／または前記下部突起ライン２４５の配置方向Ｐｄは、配向処理方向Ｒｔを横切るように配置されているからである。
【００３５】
プレティルト角の変化によるスプレイ配列とベンド配列の自由エネルギーを示す図１０を参照すれば、プレティルト角が大きくなるほどベンド配列の自由エネルギーがスプレイ配列の自由エネルギーより低くなり安定となる。したがって、前記突起ライン１４５、２４５から離隔して位置する液晶３００ｂは、スプレイ配列（splay arrangement）を有するようになり、前記突起ライン１４５、２４５に隣接して位置する液晶３００ａ、３００ｃは、その大部分がベンド配列（bend arrangement）に近い配列を有することができる。さらに、前記上部突起ライン２４５及び前記下部突起ライン１４５が互いに対応して位置する場合、前記下部突起ライン１４５または前記上部突起ライン２４５が形成されていない場合に比べて、ベンド配列に一層近接した配列を有することができる。
【００３６】
一方、前記突起ライン１４５、２４５の左右に位置する液晶３００ｂ、３００ｃは、互いにプレティルト角の方向が異なる。したがって、これら間には、ディスクリネーションライン（disclination line）が発生し得る。しかしながら、前記上部突起ライン２４５及び／または前記下部突起ライン１４５の幅を前記遮光膜パターン２１０の幅と同じか小さく形成することによって、ディスクリネーションラインによる画面品質の劣化を防止する。
【００３７】
前記液晶表示装置は、前記下部基板１００の下部に、白色光を放出するバックライト４００を備えることができる。このような液晶表示装置は、前記カラーフィルタ層２１５を使用してカラーイメージを具現できる。
【００３８】
これとは異なって、 前記下部基板１００の下部に、赤色（Ｒ）、緑色（Ｇ）及び青色（Ｂ）のバックライト４００が位置することができる。この場合、前記カラーフィルタ層５３５は省略できる。このような液晶表示装置は、フィールド順次駆動方式の液晶表示装置（field sequential ＬＣＤ；ＦＳ−ＬＣＤ）とも呼ばれるが、これは、前記赤色、緑色及び青色の光を、１つの単位画素に位置した液晶を通じて時分割的に順次にディスプレイすることで、目の残像効果を用いてカラーイメージをディスプレイする。これは、応答速度が著しく速いため、動映像を具現するのに適している。
【００３９】
図６は、図５に示す液晶表示装置のベンド転移を説明するための断面図である。
【００４０】
図６を参照すれば、対向電極２５０及び画素電極１５０に電圧を印加して、前記対向電極２５０及び前記画素電極１５０が所定の電圧差Ｖｔを有するようにする。その結果、前記対向電極２５０と前記画素電極１５０との間に電界３５０ａ、３５０ｂが形成される。詳細には、前記対向電極２５０の扁平な部分と前記画素電極１５０とが対向する領域には、垂直方向に直線状に電界３５０ｂが形成される。一方、前記上部突起ライン２４５により前記対向電極２５０の突出した部分と前記画素電極１５０のエッジ部とが対向する領域には、垂直方向で且つ曲がった形態を有する電界３５０ａが形成される。また、前記上部突起ライン２４５により前記対向電極２５０の突出した部分は、前記画素電極１５０との距離が他の部分に比べて相対的に近いため、電界の強さが大きい。このような電界の歪み及び大きい電界の強さは、前記上部突起ライン２４５に隣接した液晶のうちスプレイ配列に残っていたりベンド配列に十分に転移しない液晶をベンド配列に一層速く転移させることができる。つまり、前記上部突起ライン２４５上に前記対向電極２５０が位置することによって、電界の歪みが生じることができ、また、電界の強さが大きくなることができるので、前記上部突起ライン２４５近くの液晶を短時間内に十分にバンド転移させることができる。
【００４１】
前記ベンド配列に転移された液晶、すなわち転移核から残りの領域にベンド転移が伝搬される。したがって、全体液晶層３００に位置する液晶がベンド配列に転移される。その結果、前記突起ライン１４５、２４５の近くにおいて一層速くベンド配列に転移された液晶により、ベンド転移を液晶層３００全体に伝搬させる時間、すなわち転移時間を減少させることができ、さらに、転移電圧をも低減することができる。
【００４２】
その後、前記画素電極１５０と前記対向電極５５０間の電圧差は、前記ベンド配列を維持するための臨界電圧（critical voltage）Ｖｃｒより高い電圧に維持される。次いで、前記電圧差を高くすれば、前記配向膜１７０、５７０に隣接した液晶と前記液晶層の中央に位置した液晶を除いて残りの液晶の傾斜角は増加し、前記電圧差を低くすれば、傾斜角は減少する。これにより、前記液晶層を通る光の偏光を変調して、画像を形成する。前記液晶の傾斜角の変化は、非常に速いため、高速の応答速度特性を具現できる。このような方式の液晶表示装置をＯＣＢ型液晶表示装置と呼ぶ。このようなＯＣＢ型液晶表示装置は、より高速の応答速度を具現するために、フィールド順次駆動方式で駆動されることが好ましい。
【００４３】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００４４】
【図１】本発明の実施例に係る液晶表示装置を示すレイアウト図である。
【図２】本発明の実施例に係る液晶表示装置を示すレイアウト図である。
【図３】本発明の実施例に係る液晶表示装置を示すレイアウト図である。
【図４】本発明の実施例に係る液晶表示装置を示すレイアウト図である。
【図５】本発明の一実施例に係る液晶表示装置及びその製造方法を説明するための図であり、図１の切断線Ｉ−Ｉ’に沿う断面図である。
【図６】図５に示す液晶表示装置のベンド転移を説明するための断面図である。
【図７】本発明の他の実施例に係る液晶表示装置を示す断面図であり、図１の切断線Ｉ−Ｉ’に沿う断面図である。
【図８】本発明の他の実施例に係る液晶表示装置を示す断面図であり、図１の切断線Ｉ−Ｉ’に沿う断面図である。
【図９】突起の例示的な形態を示す断面図である。
【図１０】プレティルト角の変化によるスプレイ配列及びベンド配列における自由エネルギー変化を示すグラフである。
【符号の説明】
【００４５】
１００  下部基板
１４５  下部突起ライン
１７０  下部配向膜
１５０  画素電極
２００  上部基板
２４５  上部突起ライン
２７０  上部配向膜
２５０  対向電極
【図１】
2006154736.tif 000003
【図２】
2006154736.tif 000004
【図３】
2006154736.tif 000005
【図４】
2006154736.tif 000006
【図５】
2006154736.tif 000007
【図６】
2006154736.tif 000008
【図７】
2006154736.tif 000009
【図８】
2006154736.tif 000010
【図９】
2006154736.tif 000011
【図１０】
2006154736.tif 000012